(57)【要約】【課題】自端末に供給可能な電力残量に応じて消費電力を抑えつつ、復号特性を劣化させないように復号器の繰返し回数を制御し、復号処理による遅延や消費電力を低減する無線通信端末及び通信制御方法を提供する。【解決手段】誤り訂正符号を含む受信信号を繰返し復号する復号器(120)を備えた無線通信端末(100)は、自端末に供給可能な電力の残量を検出する検出部(170)、検出された電力の残量に応じて、復号器(120)での復号の繰返し回数を制御する制御部(130)とを備える。【選択図】図２
2010035010.tif 000002
【特許請求の範囲】
【請求項１】
誤り訂正符号を含む受信信号を繰返し復号する復号器を備えた無線通信端末において、
自端末に供給可能な電力の残量を検出する検出部と、
前記検出された電力の残量に応じて、前記復号器での復号の繰返し回数を制御する制御部と、
を備えることを特徴とする無線通信端末。
【請求項２】
請求項１に記載の無線通信端末において、
相対距離が可変の複数のアンテナと、
前記複数のアンテナ間の距離を検出するアンテナ間距離検出部と、
をさらに備え、
前記制御部が、
前記検出部で検出された電力の残量が所定値を下回る場合は、前記アンテナ間距離検出部により検出されたアンテナ間距離に応じて、前記復号器での復号の繰返し回数を制御する、
ことを特徴とする無線通信端末。
【請求項３】
請求項１または２に記載の無線通信端末において、
前記複数のアンテナで受信した受信信号から通信チャネルの品質を計算するチャネル品質計算部をさらに備え、
前記制御部が、
前記検出部で検出された電力の残量に応じて、前記復号の繰返し回数を、前記チャネル品質計算部により計算された通信チャネルの品質に応じて制御するか、前記アンテナ間距離検出部により検出されたアンテナ間距離に応じて制御するかを切り替える、
ことを特徴とする無線通信端末。
【請求項４】
誤り訂正符号を含む受信信号を繰返し復号する復号器を備えた無線通信端末の通信制御方法において、
自端末に供給可能な電力の残量を検出する検出ステップと、
前記検出ステップにて検出された電力の残量に応じて、前記復号器での復号の繰返し回数を制御するステップと、
を含むことを特徴とする通信制御方法。
【発明の詳細な説明】
【技術分野】
【０００１】
本発明は、無線通信端末及び無線通信方法に関し、特に、誤り訂正符号を含む受信信号を繰返し復号する復号器を備えた無線通信端末において、自端末に供給可能な電力の残量（電池残量）に応じて最大限の復号特性を得る無線通信端末及び通信制御方法に関する。
【背景技術】
【０００２】
一般に、移動体通信等の無線通信では、フェージングやマルチパスの影響を受け、通信路においてデータ（信号）の誤りが発生する。この誤りを訂正するための手法として、近年、ターボ符号やＬＤＰＣ（Low Density Parity Check：低密度パリティ検査）が採用されている。ターボ符号は、送信側で、複数の符号化器に異なるビット順で送信するデータを入力することで得られる。受信側（端末側）は、複数の復号器を備えて受信したデータを復号し、復号器の出力を入力にフィードバックして、繰返し復号を行なう。このように繰返し復号を行なうことで、受信データの誤り訂正精度を向上することができる。
【０００３】
上述のように、ターボ符号やＬＤＰＣによる誤り訂正方式では繰返し復号を行なう必要があり、この回数が多いほど、データの復号特性を高めることができる。しかしながら、到達可能な復号特性には限界があり、ある一定回数以上復号を繰返しても復号特性がそれ以上改善しない回数が存在する。従って、従来では、復号特性が十分に収束する繰返し復号回数（これ以降、「収束回数」と称する。）を予め求めておき、その回数の繰返し復号を行っている。
【０００４】
しかしながら、繰返し復号回数の増加に伴い、復号処理に要する時間が増え遅延が大きくなり、さらに消費電力が増加するという問題がある。この問題を解決する手法として、従来技術に、受信パイロット信号から測定した受信品質（通信チャネルの状態）に応じて、繰返し復号回数を変動させる技法が提案されている（特許文献１，２を参照されたい。）。図５に、従来技術による繰返し復号回数の制御を行なう無線通信端末の概略ブロック図を示す。図において、チャネル品質計算部２３０は、アンテナＡＮＴ３を介して受信部２１０で受信したパイロット信号から、受信品質を計算（推定）し、計算結果を、繰返し回数計算部２４０へ送信する。繰返し回数計算部２４０は、受信品質（チャネル品質）に応じて、繰返し復号器２２０における繰返し復号回数を制御する。すなわち、チャネル品質が良好であり受信信号に誤りが少ないと推定される場合は、復号を繰返す回数が少なくても良好な復号特性が得られるという認識のもとに、繰返し復号回数を収束回数よりも少なくする。しかしながら、チャネル品質を計算して繰返し回数を制御する従来技術では、チャネル品質を計算するため負荷がかかり、消費電力すなわちバッテリーの消費が大きくなるという問題がある。従って、バッテリー残量（自端末に供給可能な電力・電池残量）が少ない場合に従来技術により復号の繰返し回数を行なうことは理想的でない。
【０００５】
なお、近年の無線通信端末では、複数のアンテナを備えてダイバーシチ方式で通信を行なうものが主流である。例えば空間ダイバーシチでは、空間的に離れた場所にある複数のアンテナを用いて受信すると、受信信号の相関が一般に小さくなり、それらの変動が独立になることを利用する。従って、複数のアンテナで受信した複数の受信信号を所定の処理によって合成するか、または受信レベルが最良な受信信号を選択することで、受信信号の信頼性を向上させている。
【０００６】
なお、上述のような複数のアンテナを備える無線通信端末において、複数のアンテナの相対位置関係が変動する場合がある。例えば携帯電話端末を例に挙げると、２つの筐体をヒンジで連結して可動にした折り畳み型や、一方の筐体が他方の筐体に対してスライドする２つの筐体から成るスライド型において、各筐体にそれぞれアンテナを備えるものがある。これらは、筐体を移動することでアンテナ間の距離が変動するため、筐体の形状によって得られるダイバーシチの効果が異なる。すなわち、アンテナ間の距離が大きくアンテナ間の相関が小さい場合は、アンテナ間の距離が小さく実質的に単体のアンテナで受信する場合と比べ、受信信号の品質が良好となる。アンテナ間距離、すなわち自端末の形状により受信品質を推定するため、チャネル品質の計算によりバッテリーを大きく消費することがない。
【０００７】
【特許文献１】特開２００１−２３０６７９号公報
【特許文献２】特開２００２−１５２０５６号公報
【発明の開示】
【発明が解決しようとする課題】
【０００８】
従って、本発明の目的は、上述のような諸問題を解消し、自端末に供給可能な電力の残量に応じて消費電力を抑えつつ、復号特性を劣化させないように復号器の繰返し回数を制御し、復号処理による遅延や消費電力を低減する技法（無線通信端末及び通信制御方法）を提供することにある。
【課題を解決するための手段】
【０００９】
上述した諸課題を解決すべく、本発明による誤り訂正符号を含む受信信号を繰返し復号する復号器（ターボ復号器）を備えた無線通信端末は、
自端末に供給可能な電力の残量を検出する検出部と、
前記検出された電力の残量に応じて、前記復号器での復号の繰返し回数を制御する制御部とを備えることを特徴とする。
【００１０】
また、本発明の一実施態様による誤り訂正符号を含む受信信号を繰返し復号する復号器（ターボ復号器）を備えた無線通信端末は、
相対距離が可変の複数のアンテナと、
前記複数のアンテナ間の距離を検出するアンテナ間距離検出部と、
をさらに備え、
前記制御部が、
前記検出部で検出された電力の残量が所定値を下回る場合は、前記アンテナ間距離検出部により検出されたアンテナ間距離に応じて、前記復号器での復号の繰返し回数を制御することを特徴とする。
【００１１】
さらに、本発明の他の実施態様による誤り訂正符号を含む受信信号を繰返し復号する復号器（ターボ復号器）を備えた無線通信端末は、
前記複数のアンテナで受信した受信信号から通信チャネルの品質を計算するチャネル品質計算部をさらに備え、
前記制御部が、
前記検出部で検出された電力の残量に応じて、前記復号の繰返し回数を、前記チャネル品質計算部により計算された通信チャネルの品質に応じて制御するか、前記アンテナ間距離検出部により検出されたアンテナ間距離に応じて制御するかを切り替えることを特徴とする。
【００１２】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。なお、方法やプログラムの各ステップは、データの処理においては必要に応じて、ＣＰＵ、ＤＳＰなどの演算処理装置を使用するものであり、入力したデータや加工・生成したデータなどをＨＤＤ、メモリなどの記憶装置に格納するものである。
【００１３】
例えば、本発明を方法として実現した誤り訂正符号を含む受信信号を繰返し復号する復号器（ターボ復号器）を備えた無線通信端末の通信制御方法は、
自端末に供給可能な電力の残量を検出する検出ステップと、
前記検出ステップにて検出された電力の残量に応じて、前記復号器での復号の繰返し回数を制御するステップとを含むことを特徴とする。
【発明の効果】
【００１４】
このように、本発明によれば、バッテリー残量に応じて消費電力を抑えつつ、復号特性を劣化させないように復号器の繰返し回数を制御し、復号処理による遅延や消費電力を低減することが可能となる。
【発明を実施するための最良の形態】
【００１５】
以下に、諸図面を参照しながら、本発明の一実施態様による無線通信端末を詳細に説明する。なお、無線通信端末としては、携帯電話端末、ノートパソコン、ＰＤＡ（パーソナルデジタルアシスタンス）、携帯ゲーム機、携帯オーディオプレーヤー、携帯ビデオプレイヤー、携帯電子辞書、携帯電子書籍ビューワーなどの携帯電子機器等とすることができる。
【００１６】
図１は、本発明の一実施例による無線通信端末の概略図である。無線通信端末１００は、例えば図のように、２つの筐体から成る折り畳み式の携帯電話端末であり、２つのアンテナＡＮＴ１及びＡＮＴ２が、各筐体に位置付けられている。無線通信端末において２つの筐体を開閉することができ、図のように筐体同士が離れている状態を開状態、図示しない筐体同士が密接している状態を閉状態とする。図の例において、２つのアンテナＡＮＴ１及びＡＮＴ２は、無線通信端末１００が開状態のときに相対距離が十分に長く互いに離間し、アンテナ間の相関が少なく、十分なダイバーシチ効果を得ることができるものとする。反対に、無線通信端末１００が閉状態のときには、２つのアンテナＡＮＴ１及びＡＮＴ２の相対距離が短く、実質的に１本のアンテナとして動作する。なお、本発明は、折り畳み式の携帯電話端末に限られるものではなく、複数のアンテナを備え、それらの相対距離が可変であるような無線通信端末全てに適用可能であることに留意されたい。また、アンテナ数が２本の態様を示しているが、本発明はこれに限られるものではなく、３本以上のアンテナを有してもよい。
【００１７】
図２は、本発明の一実施例による無線通信端末の概略ブロック図である。無線通信端末１００は、受信部１１０、繰返し復号器１２０、繰返し回数制御部１３０、アンテナ間距離検出部１４０、記憶部１５０、チャネル品質計算部１６０、電池残量検出部１７０及び２つのアンテナＡＮＴ１，ＡＮＴ２を備える。受信部１１０は、２つのアンテナＡＮＴ１，ＡＮＴ２から受信した信号に対して所定の処理を行なう。例えば、受信部１１０は、復調部やスイッチ（図示せず）等を含み、２つのアンテナＡＮＴ１及びＡＮＴ２から受信した信号のうち受信レベルの強い信号を選択する。又は、無線通信端末１００が３本以上のアンテナを有する場合、受信部１１０は、受信信号を例えば最大比合成方式で合成し、最良の受信信号を得る。なお、アンテナＡＮＴ１及びＡＮＴ２で受信する信号には、誤り訂正のためのターボ符号が含まれるものとする。そして、受信部１１０は、処理後のデータを繰返し復号器１２０へ送信する。繰返し復号器１２０は、受信部１１０から送信されたデータに含まれる誤り訂正符号を用いて復号を行なう。繰返し復号器１２０は、例えば一般のターボ復号器と同様に、２つの復号器、インタリーバ及びデインタリーバを備え、誤り訂正方式に基づいて繰返し復号を行なう。ターボ符号を用いた繰返し復号については公知の技術であるため、ここでは詳細を省略する。
【００１８】
アンテナ間距離検出部１４０は、２つのアンテナＡＮＴ１とＡＮＴ２との間の距離を検出する。アンテナ間距離検出部１４０は、例えば、折り畳み式の携帯電話端末の場合は、筐体の開き角（図１における角度α）によってアンテナ間の距離を検出する。又は、スライド式の携帯電話端末であって２つの筐体にそれぞれアンテナが備えられている場合は、アンテナ間距離検出部１４０は、スライド状態によってアンテナ間の距離を検出する。チャネル品質計算部１６０は、アンテナＡＮＴ１及びＡＮＴ２で受信した信号から受信品質（チャネル品質）を計算する。この受信品質の計算には、例えば、受信信号に含まれるパイロット信号を用いて、ＳＩＲ（Signal to Interference Ratio：信号対干渉比）を計算することで行なう。又は、ＲＳＳＩ（Received Signal Strength Indicator：受信信号強度）や、ＣＩＲ（Carrier To Interference Ratio：搬送波対干渉波比）、ＣＩＮＲ（Carrier to Interference plus Noise Ratio：搬送波対干渉波・雑音比）、ＳＩＮＲ（Signal to Interference plus Noise Ratio：信号対干渉波・雑音比）等を用いることができる。電池残量検出部１７０は、電池残量（自端末に供給可能な電力・バッテリー残量）を検出する。繰返し回数制御部１３０は、アンテナ間距離検出部１４０により検出されたアンテナ間距離、チャネル品質計算部１６０により計算されたチャネル品質、及び電池残量検出部により検出された電池残量（自端末に供給可能な電力の残量）に基づき、繰返し復号器１２０での復号の繰返し回数を設定（制御）する。記憶部１５０は、アンテナ間距離、電池残量及びチャネル品質に対する復号の繰返し回数のテーブルを格納する。
【００１９】
次に、フローチャートを用いて本発明による無線通信端末１００の処理について説明する。図３は、本発明の一実施例による無線通信端末１００の処理の一例を示すフローチャートである。まず、ステップＳ１１にて、電池残量検出部１７０は、電池残量を測定（検出）する。ステップＳ１２にて、繰返し回数制御部１３０は、電池残量が所定の閾値Ｘ以上であるか否かを判定する。電池残量が所定の閾値Ｘ以上であると判定された場合は、ステップＳ１３へ進み、繰返し回数制御部１３０は、復号の繰返し回数を「Ｎ０」に設定する。なお、電池残量が所定の閾値Ｘ以上である場合を、「モード１」とする。ステップＳ１２にて、電池残量が所定の閾値Ｘを下回ると判定された場合は、ステップＳ１４へ進み、繰返し回数制御部１３０は、電池残量が所定の閾値Ｙ以上であるか否かを判定する。電池残量が所定の閾値Ｙ以上であると判定された場合は、ステップＳ１５へ進み、繰返し回数制御部１３０は、受信品質による繰返し回数の設定処理を行なう。なお、電池残量が閾値Ｘを下回り、かつ閾値Ｙ以上である場合を、「モード２」とする。ステップＳ１４にて、電池残量が閾値Ｙを下回ると判定された場合は、ステップＳ１６へ進み、繰返し回数制御部１３０は、アンテナ間距離による繰返し回数の設定処理を行なう。なお、電池残量が閾値Ｙを下回る場合を、「モード３」とする。
【００２０】
ここで、電池残量のモード１〜３の状態と、モードに応じて設定される復号の繰返し回数について説明する。図４は、電池残量のモードと、繰返し復号器１２０で設定される復号の最大繰返し回数との関係を示す図である。横軸が電池残量、縦軸が最大繰返し回数を示す。電池残量が十分に多い場合（モード１）は、上述の収束回数（ここでは「Ｎ０」）に最大繰返し回数を設定する。これは、電池残量に余裕があるため、復号処理により消費電力が増加したとしても、高品質の復号特性が得られる収束回数だけ復号を行なうことを目的とする。また、電池残量がやや減少している場合（モード２）は、収束回数「Ｎ０」よりも少ない回数で復号を繰返す。また、詳細は後述するが、モード２では、チャネル品質に応じて繰返し回数をＮ１〜Ｎ３に設定する。これは、電池残量が減少しているため、繰返し回数を少なくして消費電力を低減させるが、その際、チャネル品質が良好な場合には受信データの誤りが少ないという認識のもとに、繰返し回数をより少なくし、反対に、チャネル品質が良好でなく受信データの誤りが発生するおそれがある場合には、繰返し回数を多くして誤り訂正の精度を向上させることを目的とする。さらに、電池残量が少ない場合（モード３）は、モード１，２における繰返し回数よりもさらに少ない回数に繰返し回数を設定する。この際に、アンテナ間の距離に応じて繰返し回数をＮ４，Ｎ５に設定する。これは、モード２と同様に、繰返し回数を少なくして消費電力を低減させ受信品質に応じて繰返し回数を設定するが、その際に、アンテナ間距離によってのみ受信品質を推定するため、チャネル品質の計算による消費電力の消費を発生させずに、できるだけ誤り訂正の精度を向上させることを目的とする。
【００２１】
図３のフローチャートに戻り説明を継続する。まず、ステップＳ１５の受信品質による繰返し回数の設定処理（モード２における繰返し回数の設定処理）について説明する。図３（ｂ）は、受信品質による繰返し回数の設定処理の一例のフローチャートである。まず、ステップＳ２１にて、チャネル品質計算部１６０は、受信品質を取得しているか、すなわち受信品質（チャネル品質）を計算可能なデータ（パイロット信号等）を取得しているか否かを判定する。チャネル品質計算部１６０により取得していないと判定された場合は、ステップＳ２３へ進み、繰返し回数制御部１３０は、繰返し回数を「Ｎ１」に設定する。この「Ｎ１」は、モード２で設定可能な繰返し回数のうちの最大値であり、すなわち、受信品質が不明である場合には、復号特性が十分に収束する回数に設定する。ステップＳ２１にて受信品質を取得していると判定された場合は、ステップＳ２２へ進み、繰返し回数制御部１３０は、受信品質に応じた繰返し回数に設定する。これは、記憶部１５０に格納されている、以下の表１に示すテーブルに基づいて行われる。
【００２２】
【表１】
2010035010.tif 000003
【００２３】
受信品質がある閾値Ｃを下回る場合は、繰返し回数を「Ｎ１」に設定する。受信品質がある閾値Ｃ以上でありかつ閾値Ｄを下回る場合は、繰返し回数を「Ｎ２」に設定する。また、受信品質が閾値Ｄ以上である場合は、繰返し回数を「Ｎ３」に設定する。ここで、受信品質の閾値はＣ＜Ｄの関係、繰返し回数はＮ１≧Ｎ２≧Ｎ３の関係を有する。これは、受信品質が良好である場合は、受信品質が良好でない場合よりも繰返し回数を少なくできるためである。ステップＳ２２又はＳ２３にて繰返し回数を設定した後は、図３（ａ）のステップＳ１７へ戻る。
【００２４】
次に、ステップＳ１６のアンテナ間距離による繰返し回数の設定処理（モード３における繰返し回数の設定処理）について説明する。図３（ｃ）は、アンテナ間距離による繰返し回数の設定処理の一例のフローチャートである。まず、ステップＳ３１にて、アンテナ間距離検出部１４０は、２つのアンテナＡＮＴ１とＡＮＴ２との間のアンテナ間距離を検出し、検出したアンテナ間距離を繰返し回数制御部１３０へ送信する。繰返し回数制御部１３０は、記憶部１５０に格納されている、繰返し回数とアンテナ間距離との関係を示すテーブルに基づき、復号の繰返し回数を設定（制御）する。以下に、記憶部１５０に格納されているテーブルの一例を示す。
【００２５】
【表２】
2010035010.tif 000004
【００２６】
表１に示すテーブルに基づき、アンテナ間距離がある閾値Ａを下回る場合は、繰返し回数制御部１３０は、繰返し回数を「Ｎ４」と設定する。また、アンテナ間距離が閾値Ａ以上である場合は、繰返し回数制御部１３０は、繰返し回数を「Ｎ５」と設定する（ステップＳ３２〜Ｓ３４）。ここで、閾値Ａは、アンテナ間距離がこの閾値Ａ以上であれば、アンテナＡＮＴ１及びＡＮＴ２の相関が少なく実質的に２本のアンテナで信号を受信できるような値とする。なお、繰返し回数はＮ４≧Ｎ５とする。これは、アンテナＡＮＴ１及びＡＮＴ２の相関が少ない場合は、受信信号の品質が良好になるという認識に基づくもので、アンテナ間距離が短く実質的に１本のアンテナで受信する状態よりも、復号の繰返し回数を少なくできることによる。ステップＳ３３又はＳ３４にて繰返し回数を設定した後、図３（ａ）のステップＳ１７へ進む。ステップＳ１３〜Ｓ１６の処理後、受信部１００は、誤り訂正符号を含むデータを受信し（ステップＳ１７）、繰返し復号器１２０は、設定された回数にて受信データを復号する（ステップＳ１８）。
【００２７】
なお、電池残量検出部１７０は、データの受信間に電池残量の監視を継続し、モード１〜３の切替を行う。また、電池残量が急激に減少した場合は、それ以降電池残量の判定処理を行わずに、アンテナ間距離のみで復号の繰返し回数を制御してもよい。なお、電池残量が少ないことを、例えば無線通信端末１００に設けられた表示部、振動部、スピーカまたは発光部などを用いて、メッセージの表示、専用アイコンの表示、或いは、バイブレーション、音、光の明滅などで知らせるのが好適である。
【００２８】
本発明の利点を述べる。チャネル品質を計算して繰返し回数を制御する従来技術では、チャネル品質を計算するため負荷がかかり、消費電力すなわちバッテリーの消費が大きくなるという問題がある。従って、自端末に供給可能な電力残量（バッテリー残量・電池残量）が少ない場合に従来技術により復号の繰返し回数を行なうことは理想的でない。それに対し、本発明によれば、自端末に供給可能な電力残量（バッテリー残量）に応じて消費電力を抑えつつ、復号特性を劣化させないように復号器の繰返し回数を制御し、復号処理による遅延や消費電力を低減することが可能となる。また、ダイバーシチ方式の利点を生かし、アンテナ間の相関が少なく受信品質が良好である場合は復号の繰返し回数を減少させるため、復号処理に要する時間及び消費電力を、従来と比べ低減することができる。
【００２９】
本発明を諸図面や実施例に基づき説明してきたが、当業者であれば本開示に基づき種々の変形や修正を行なうことが容易であることに注意されたい。従って、これらの変形や修正は本発明の範囲に含まれることに留意されたい。例えば、各構成部、各手段等に含まれる機能等は論理的に矛盾しないように再配置可能であり、複数の構成部を１つに組み合わせたり、或いは分割したりすることが可能である。例えば、受信品質の閾値をＣ及びＤの２つとしたが、さらに閾値を設けてもよい。また、無線通信端末としては、図１に示す折り畳み式のものに限らず、複数のアンテナを備え、それらのアンテナ間の相対距離が変化する無線通信端末であれば、本発明を適用可能である。なお、複数のアンテナを備えない無線通信端末の場合は、電池残量及びチャネル品質のみで繰返し回数を設定すればよい。また、自端末に供給可能な電力としては、自端末に内蔵されている電池に限らず、外付けの充電器等も含まれる。さらに、上述の実施例ではターボ符号を用いる態様を説明したが、本発明はこれに限られるものではなく、ＬＤＰＣ等の繰返し復号を行なう誤り訂正方式に適用可能である。
【図面の簡単な説明】
【００３０】
【図１】本発明の一実施例による無線通信端末の概略図である。
【図２】本発明の第１の実施例による無線通信端末の概略ブロック図である。
【図３】本発明の第１の実施例による無線通信端末１００の処理の一例を示すフローチャートである。
【図４】電池残量のモードと、繰返し復号器１２０で設定される復号の最大繰返し回数との関係を示す図である。
【図５】従来技術による繰返し復号回数の制御を行なう無線通信端末の概略ブロック図である。
【符号の説明】
【００３１】
１００  無線通信端末
１１０  受信部
１２０  繰返し復号器
１３０  繰返し回数制御部
１４０  アンテナ間距離検出部
１５０  記憶部
１６０  チャネル品質計算部
１７０  電池残量検出部
ＡＮＴ１，ＡＮＴ２  アンテナ
２００  無線通信端末
２１０  受信部
２２０  繰返し復号器
２３０  チャネル品質計算部
２４０  繰返し回数計算部
【図１】
2010035010.tif 000005
【図２】
2010035010.tif 000006
【図３】
2010035010.tif 000007
【図４】
2010035010.tif 000008
【図５】
2010035010.tif 000009